(57)【特許請求の範囲】
【請求項１】
可視光に対して透明な板状に形成された導光板であって、
前記導光板は、
前記導光板の側壁のうち、一列に並べて配置され、かつ、可視光を発する第１の光源及び第２の光源に対向する側壁に形成される入射面と、
前記導光板の一方の面に、第１のパターンに沿って配列され、前記第１の光源から発して前記入射面から前記導光板内に入射した可視光を前記導光板の他方の面へ向けて反射する複数の第１のプリズムと、
前記導光板の前記一方の面に、前記第１のパターンと異なる第２のパターンに沿って配列され、前記第２の光源から発して前記入射面から前記導光板内に入射した可視光を前記導光板の前記他方の面へ向けて反射する複数の第２のプリズムと、
を有し、
前記第１の光源は、前記入射面の長手方向に沿って所定の間隔を空けて配置される二つの発光素子を有し、かつ、前記所定の間隔は、前記導光板から観察者の想定位置までの距離に対する前記第１の光源から前記第１のパターンの重心までの距離の比を平均的な人の両眼の間隔に乗じた距離であり、
前記複数の第１のプリズムのそれぞれは、前記第１の光源の前記二つの発光素子の間に対して正対するように向けられた反射面を有し、かつ、前記複数の第２のプリズムのそれぞれは、前記第２の光源に対して正対するように向けられた反射面を有し、かつ、前記複数の第１のプリズムのそれぞれは、前記第１のプリズムの前記第２の光源に近い方の端部における、前記第１のプリズムの前記反射面と直交する方向の幅が、前記第１のプリズムの前記反射面の中心における、前記第１のプリズムの前記反射面と直交する方向の幅よりも狭くなるように形成される、導光板。
【請求項２】
前記第１の光源から離れるほど前記複数の第１のプリズムの配置密度が高くなり、前記第２の光源から離れるほど前記複数の第２のプリズムの配置密度が高くなる、請求項１に記載の導光板。
【請求項３】
可視光を発する第１の光源と、
前記第１の光源と一列に並べて配置され、可視光を発する第２の光源と、
可視光に対して透明な板状に形成された導光板と、
前記第１の光源及び前記第２の光源の点灯及び消灯を制御する制御部と、
を有し、
前記導光板は、
前記導光板の側壁の一辺に形成される、前記第１の光源及び前記第２の光源に対向する入射面と、
前記導光板の一方の面に、第１のパターンに沿って配列され、前記第１の光源から発して前記入射面から前記導光板内に入射した可視光を前記導光板の他方の面へ向けて反射する複数の第１のプリズムと、
前記導光板の前記一方の面に、前記第１のパターンと異なる第２のパターンに沿って配列され、前記第２の光源から発して前記入射面から前記導光板内に入射した可視光を前記導光板の前記他方の面へ向けて反射する複数の第２のプリズムと、
を有し、
前記第１の光源は、前記入射面の長手方向に沿って所定の間隔を空けて配置される二つの発光素子を有し、かつ、前記所定の間隔は、前記導光板から観察者の想定位置までの距離に対する前記第１の光源から前記第１のパターンの重心までの距離の比を平均的な人の両眼の間隔に乗じた距離であり、
前記複数の第１のプリズムのそれぞれは、前記第１の光源の前記二つの発光素子の間に対して正対するように向けられた反射面を有し、かつ、前記複数の第２のプリズムのそれぞれは、前記第２の光源に対して正対するように向けられた反射面を有し、かつ、前記複数の第１のプリズムのそれぞれは、前記第１のプリズムの前記第２の光源に近い方の端部における、前記第１のプリズムの前記反射面と直交する方向の幅が、前記第１のプリズムの前記反射面の中心における、前記第１のプリズムの前記反射面と直交する方向の幅よりも狭くなるように形成される、表示装置。
【請求項４】
遊技機本体と、
前記遊技機本体の遊技者と対向する側の面に設けられた表示装置とを有し、
前記表示装置は、
可視光を発する第１の光源と、
前記第１の光源と一列に並べて配置され、可視光を発する第２の光源と、
可視光に対して透明な板状に形成された導光板と、
前記第１の光源及び前記第２の光源の点灯及び消灯を制御する制御部と、
を有し、
前記導光板は、
前記導光板の側壁の一辺に形成される、前記第１の光源及び前記第２の光源に対向する入射面と、
前記導光板の一方の面に、第１のパターンに沿って配列され、前記第１の光源から発して前記入射面から前記導光板内に入射した可視光を、前記遊技者と対向する側に設けられた前記導光板の他方の面へ向けて反射する複数の第１のプリズムと、
前記導光板の前記一方の面に、前記第１のパターンと異なる第２のパターンに沿って配列され、前記第２の光源から発して前記入射面から前記導光板内に入射した可視光を前記導光板の前記他方の面へ向けて反射する複数の第２のプリズムと、
を有し、
前記第１の光源は、前記入射面の長手方向に沿って所定の間隔を空けて配置される二つの発光素子を有し、かつ、前記所定の間隔は、前記導光板から前記遊技者の想定位置までの距離に対する前記第１の光源から前記第１のパターンの重心までの距離の比を平均的な人の両眼の間隔に乗じた距離であり、
前記複数の第１のプリズムのそれぞれは、前記第１の光源の前記二つの発光素子の間に対して正対するように向けられた反射面を有し、かつ、前記複数の第２のプリズムのそれぞれは、前記第２の光源に対して正対するように向けられた反射面を有し、かつ、前記複数の第１のプリズムのそれぞれは、前記第１のプリズムの前記第２の光源に近い方の端部における、前記第１のプリズムの前記反射面と直交する方向の幅が、前記第１のプリズムの前記反射面の中心における、前記第１のプリズムの前記反射面と直交する方向の幅よりも狭くなるように形成される、
遊技機。
【発明の詳細な説明】
【技術分野】
【０００１】
本発明は、表示されるパターンを切り替え可能な導光板、表示装置、及び、そのような表示装置を有する遊技機に関する。
【背景技術】
【０００２】
従来より、板状に形成された光透過性を有する導光板を有し、その導光板への光の入射方向に応じたパターンを表示させる照明装置が提案されている（例えば、特許文献１を参照）。
【０００３】
例えば、特許文献１に開示された照明装置は、光透過材料のパネルを有し、そのパネルが、光出射窓と、その光出射窓に対向する背面壁と、光出射窓と背面壁の間に配置され、互いに異なる位置にある光透過性の第１端面及び第２端面を有する。そして第１端面と対向する光源からパネル内に入射した光が、背面壁に形成された第１の光記号上に並べられた複数の三角プリズムで反射されて光出射面から出射することで第１の光記号が表示される。一方、第２端面と対向する光源からパネル内に入射した光が、背面壁に形成された第２の光記号上に並べられた複数の三角プリズムで反射されて光出射面から出射することで第２の光記号が表示される。
【先行技術文献】
【特許文献】
【０００４】
【特許文献１】特表２００３−５１９８１０号公報
【発明の概要】
【発明が解決しようとする課題】
【０００５】
上記のように、特許文献１に開示された照明装置では、パネルの互いに異なる２辺のそれぞれに対向するように複数の光源が配置される。しかしながら、表示装置の用途によっては、表示装置が有する導光部材の一端側にしか光源を配置できないことがある。
【０００６】
そこで、本発明は、導光板の一端側にしか複数の光源を配置できない場合でも、その複数の光源のうちの点灯する光源に応じて表示させるパターンを切り替え可能な導光板を提供することを目的とする。
【課題を解決するための手段】
【０００７】
本発明の一つの形態として、可視光に対して透明な板状に形成された導光板が提供される。この導光板は、導光板の側壁のうち、一列に並べて配置され、かつ、可視光を発する第１の光源及び第２の光源に対向する側壁に形成される入射面と、導光板の一方の面に、第１のパターンに沿って配列され、第１の光源から発して入射面から導光板内に入射した可視光を導光板の他方の面へ向けて反射する複数の第１のプリズムと、導光板の一方の面に、第１のパターンと異なる第２のパターンに沿って配列され、第２の光源から発して入射面から導光板内に入射した可視光を導光板の他方の面へ向けて反射する複数の第２のプリズムとを有する。
そして複数の第１のプリズムのそれぞれは、第１の光源に対して正対するように向けられた反射面を有し、かつ、複数の第２のプリズムのそれぞれは、第２の光源に対して正対するように向けられた反射面を有する。
【０００８】
この導光板において、第１の光源から離れるほど複数の第１のプリズムの配置密度が高くなり、第２の光源から離れるほど複数の第２のプリズムの配置密度が高くなることが好ましい。
【０００９】
またこの導光板において、複数の第１のプリズムのそれぞれは、第１のプリズムの第２の光源に近い方の端部における、第１のプリズムの反射面と直交する方向の幅が、第１のプリズムの反射面の中心における、第１のプリズムの反射面と直交する方向の幅よりも狭くなるように形成されることが好ましい。
【００１０】
さらに、第１の光源は、入射面の長手方向に沿って所定の間隔を空けて配置される二つの発光素子を有し、この導光板において、第１のプリズムのそれぞれは、第１のプリズムの反射面がその二つの発光素子の間と正対するように配置されることが好ましい。
【００１１】
さらにまた、第１の光源は、入射面の長手方向に沿って所定の間隔を空けて配置される複数の発光素子を有し、この導光板において、第１のプリズムのそれぞれは、第１のプリズムの反射面が複数の発光素子の何れかと正対するように配置されることが好ましい。
【００１２】
この場合において、第１のプリズムのそれぞれは、第１のプリズムの反射面が複数の発光素子のうちのその第１のプリズムの位置での照度が最も高い発光素子と正対するように配置されることが好ましい。
【００１３】
本発明の他の形態として、表示装置が提供される。この表示装置は、可視光を発する第１の光源と、第１の光源と一列に並べて配置され、可視光を発する第２の光源と、可視光に対して透明な板状に形成された導光板と、第１の光源及び第２の光源の点灯及び消灯を制御する制御部とを有する。
導光板は、導光板の側壁の一辺に形成される、第１の光源及び第２の光源に対向する入射面と、導光板の一方の面に、第１のパターンに沿って配列され、第１の光源から発して入射面から導光板内に入射した可視光を導光板の他方の面へ向けて反射する複数の第１のプリズムと、導光板の一方の面に、第１のパターンと異なる第２のパターンに沿って配列され、第２の光源から発して入射面から導光板内に入射した可視光を導光板の他方の面へ向けて反射する複数の第２のプリズムとを有する。そして複数の第１のプリズムのそれぞれは、第１の光源に対して正対するように向けられた反射面を有し、かつ、複数の第２のプリズムのそれぞれは、第２の光源に対して正対するように向けられた反射面を有する。
【００１４】
本発明のさらに他の形態として、遊技機が提供される。この遊技機は、遊技機本体と、遊技機本体の遊技者と対向する側の面に設けられた表示装置とを有し、表示装置は、可視光を発する第１の光源と、第１の光源と一列に並べて配置され、可視光を発する第２の光源と、可視光に対して透明な板状に形成された導光板と、第１の光源及び第２の光源の点灯及び消灯を制御する制御部とを有する。
そして導光板は、導光板の側壁の一辺に形成される、第１の光源及び第２の光源に対向する入射面と、導光板の一方の面に、第１のパターンに沿って配列され、第１の光源から発して入射面から導光板内に入射した可視光を、遊技者と対向する側に設けられた導光板の他方の面へ向けて反射する複数の第１のプリズムと、導光板の一方の面に、第１のパターンと異なる第２のパターンに沿って配列され、第２の光源から発して入射面から導光板内に入射した可視光を導光板の他方の面へ向けて反射する複数の第２のプリズムとを有する。複数の第１のプリズムのそれぞれは、第１の光源に対して正対するように向けられた反射面を有し、かつ、複数の第２のプリズムのそれぞれは、第２の光源に対して正対するように向けられた反射面を有する。
【発明の効果】
【００１５】
本発明に係る導光板は、導光板の一端側にしか複数の光源を配置できない場合でも、その複数の光源のうちの点灯する光源に応じて表示させるパターンを切り替えできるという効果を奏する。
【図面の簡単な説明】
【００１６】
【図１】本発明の一つの実施形態に係る表示装置の概略構成図である。
【図２】表示装置が有する導光板の概略正面図である。
【図３】図２の矢印ＡＡ’で示される導光板の概略側面断面図である。
【図４】（ａ）は、第１のプリズムの配置を示す、第１のパターンの一部の拡大平面図である。（ｂ）は、第２のプリズムの配置を示す、第２のパターンの一部の拡大平面図である。（ｃ）は、第１のパターンと第２のパターンとが重なっている重複領域における、各プリズムの配置を示す、その重複領域の拡大平面図である。
【図５】（ａ）は、変形例による各プリズムの配置パターンの一例を示す図である。（ｂ）は、変形例による各プリズムの配置パターンの他の一例を示す図である。
【図６】（ａ）及び（ｂ）は、変形例によるプリズムの形状の一例を示す図である。
【図７】（ａ）及び（ｂ）は、変形例によるプリズムの形状の他の一例を示す図である。
【図８】変形例による、導光板の平面図である。
【図９】他の変形例による、導光板の平面図である。
【図１０】上記の実施形態または変形例による表示装置を有する弾球遊技機を遊技者側から見た、その弾球遊技機の概略斜視図である。
【発明を実施するための形態】
【００１７】
以下、本発明の実施形態による表示装置を、図を参照しつつ説明する。この表示装置は、可視光に対して透明な材料を板状に形成した導光板を有し、その導光板の一方の面が観察者に面する出射面として形成される。さらに、導光板の出射面を囲う周囲の側壁のうちの一辺が、一列に並べられた複数の光源と対向する入射面として形成される。そして出射面と対向する導光板の他方の面には、光源から発し、導光板内に入射した可視光を出射面へ向けて反射する複数のプリズムが形成される。そして複数のプリズムのそれぞれは、複数の光源の何れかと対応するグループの何れかに含まれ、各グループのプリズムは、表示装置が表示させるパターンの形状に合わせて配列される。そしてまた、各グループのプリズムは、その反射面がそのグループに対応する光源と正対するように配置される。
なお、以下では、説明の便宜上、観察者と対向する側を正面とし、その反対側を背面とする。
【００１８】
図１は、本発明の一つの実施形態に係る表示装置の概略構成図である。表示装置１は、導光板２と、第１の光源３と、第２の光源４と、制御部５とを有する。
【００１９】
導光板２は、第１の光源３から発する可視光及び第２の光源４から発する可視光に対して透明な板状に形成された部材である。導光板２は、例えば、ポリメチルメタクリレート（ＰＭＭＡ）、ポリカーボネート、シクロオレフィンポリマーといった、可視光に対して透明な樹脂を成型することで形成される。そして導光板２は、第１の光源３が点灯している間、第１の光源３からの光をその内部で伝搬させるとともに、背面側に形成された、第１の光源３に対応し、第１のパターンを形成するように配列された複数の第１のプリズムにより正面側に位置する観察者へ向けて反射させることで、観察者が発光する第１のパターン２２を視認できるようにする。また導光板２は、第２の光源４が点灯している間、第２の光源４からの光をその内部で伝搬させるとともに、背面側に形成された、第２の光源４に対応し、第２のパターン２４を形成するように配列された複数の第２のプリズムにより正面側に位置する観察者へ向けて反射させることで、観察者が発光する第２のパターンを視認できるようにする。
なお、導光板２の詳細については後述する。
【００２０】
第１の光源３及び第２の光源４は、それぞれ、可視光を発する少なくとも一つの発光素子を有し、発光素子の発光面が導光板２の側壁のうちの一つである入射面２ａと対向するように配置される。また第１の光源３と第２の光源４とは、入射面２ａに沿って一列に並べて互いに異なる位置に配置される。そして第１の光源３及び第２の光源４は、それぞれ、制御部５からの制御信号に応じて点灯または消灯する。そして制御部５が第１の光源３を点灯させている間、第１の光源３から発した光は、入射面２ａを介して導光板２内に入射し、導光板２内を伝搬した後に導光板２の背面側の拡散面２ｂに形成された複数の第１のプリズムで反射されて正面側の出射面２ｃから出射する。同様に、制御部５が第２の光源４を点灯させている間、第２の光源４から発した光は、入射面２ａを介して導光板２内に入射し、導光板２内を伝搬した後に導光板２の背面側の拡散面２ｂに形成された複数の第２のプリズムで反射されて正面側の出射面２ｃから出射する。
【００２１】
なお、第１の光源３及び第２の光源４が有する発光素子は、例えば、発光ダイオード、白熱灯あるいは蛍光灯である。そして第１の光源３の発光色と第２の光源４の発光色は同じであってもよく、互いに異なっていてもよい。また、第１の光源３の明るさと第２の光源４の明るさは同じでもよく、異なっていてもよい。
【００２２】
制御部５は、例えば、プロセッサと、メモリ回路と、各光源の駆動回路とを有する。そして制御部５は、上位の制御装置（図示せず）からの制御信号に応じて、第１の光源３及び第２の光源４の点灯及び消灯を制御する。導光板２の正面側に位置する観察者から第１のパターンが見えるようにする場合には、制御部５は、第１の光源３を点灯させ、一方、第２の光源４を消灯する。逆に、導光板２の正面側に位置する観察者から第２のパターンが見えるようにする場合には、制御部５は、第１の光源３を消灯させ、一方、第２の光源４を点灯する。
【００２３】
以下、導光板２の詳細について説明する。
【００２４】
図２は、導光板２の概略正面図である。また図３は、図２の矢印ＡＡ’で示される線における、導光板２の概略側面断面図である。図２及び図３に示されるように、導光板２の側壁の一面に、第１の光源３及び第２の光源４と対向する入射面２ａが形成される。第１の光源３からの光は入射面２ａから導光板２の内部に入射する。そして導光板２の内部を伝搬した光は、導光板２の背面側に位置する拡散面２ｂに形成された複数の第１のプリズム２１にて全反射された後、導光板２の正面側に位置し、かつ、拡散面２ｂと対向する出射面２ｃから出射する。複数の第１のプリズム２１は、第１のパターン２２を形成するように、第１のパターン２２に沿って配列される。したがって、観察者は、第１の光源３が点灯している間、導光板２の表面において発光して見える第１のパターン２２を観察できる。なお、図２及び図３において、図の見易さの向上のために、第１のプリズム２１及び第２のプリズム２３のサイズ及び導光板２の厚さは誇張されている点に留意されたい。
【００２５】
同様に、第２の光源４からの光は入射面２ａから導光板２の内部に入射する。そして導光板２の内部を伝搬した光は、拡散面２ｂに形成された複数の第２のプリズム２３にて全反射された後、出射面２ｃから出射する。複数の第２のプリズム２３は、第２のパターン２４を形成するように第２のパターン２４に沿って配列される。したがって、観察者は、第２の光源４が点灯している間、導光板２の表面において発光して見える第２のパターン２４を観察できる。
【００２６】
複数の第１のプリズム２１のそれぞれは、例えば、拡散面２ｂにおいて所定の長さを持つ略三角形状の溝として形成される。そして複数の第１のプリズム２１のそれぞれは、拡散面２ｂに対して所定の角度をなす反射面２１ａを有する。同様に、複数の第２のプリズム２３のそれぞれは、例えば、拡散面２ｂにおいて所定の長さを持つ略三角形状の溝として形成される。そして複数の第２のプリズム２３のそれぞれは、拡散面２ｂに対して所定の角度をなす反射面２３ａを有する。なお、所定の角度は、導光板２へ入射した第１の光源３または第２の光源４からの光を全反射させて、出射面２ｃへ向ける角度、例えば、拡散面２ｂに対して４０°〜５０°をなすように設定される。また所定の長さは、第１のパターン２２及び第２のパターン２４内に複数のプリズムが配置できる程度の長さ、例えば、100μm〜数mm程度に設定される。
【００２７】
図４（ａ）は、第１のプリズム２１の配置を示す、第１のパターン２２の一部の拡大平面図である。複数の第１のプリズム２１は、第１のパターン２２内において千鳥足状に配置されている。すなわち、複数の第１のプリズム２１は、第１のパターン２２内において、導光板２の入射面２ａと平行な方向（便宜上、x方向と呼ぶ）に沿って等間隔で配置された、その入射面２ａと直交する方向（便宜上、y方向と呼ぶ）のライン上に所定のピッチで配置される。さらに隣接するライン間では、隣接する二つの第１のプリズム２１のy方向の位置が、ピッチの半分だけずれている。さらに、複数の第１のプリズム２１のそれぞれは、拡散面２ｂと平行な面において、反射面２１ａが第１の光源３と正対するように配置されている。すなわち、本実施形態では、第１の光源３から所定の距離だけ離れた位置にある第１のプリズム２１の反射面２１ａは、第１の光源３を中心とし、かつ、その所定の距離を半径とする円周と略平行となるように向けられる。
【００２８】
このように複数の第１のプリズム２１のそれぞれが配置されることで、各第１のプリズム２１は、入射面２ａから入射した光のうち、第１の光源３からの光を出射面２ｃに対して略垂直となるように反射させることができる。一方、入射面２ａから入射した光のうち、第１の光源３以外からの光、例えば、第２の光源４からの光あるいは迷光は、仮に第１のプリズム２１で反射されたとしても、出射面２ｃに対して比較的大きな角度をなして出射面２ｃから出射するので、その光は、導光板２の正面に位置する観察者からは観察され難い。そのため、第１の光源３が点灯している間に限り、表示装置１は、第１のパターン２２を観察者に見せることができる。
【００２９】
図４（ｂ）は、第２のプリズム２３の配置を示す、第２のパターン２４の一部の拡大平面図である。第１のプリズム２１と同様に、複数の第２のプリズム２３は、第２のパターン２４内において千鳥足状に配置されている。さらに、複数の第２のプリズム２３のそれぞれは、拡散面２ｂと平行な面において、反射面２３ａが第２の光源４と正対するように配置されている。したがって、本実施形態では、第２の光源４から所定の距離だけ離れた位置にある第２のプリズム２３の反射面２３ａは、第２の光源４を中心とし、かつ、その所定の距離を半径とする円周と略平行となるように向けられる。
【００３０】
このように複数の第２のプリズム２３のそれぞれが配置されることで、各第２のプリズム２３は、入射面２ａから入射した光のうち、第２の光源４からの光を出射面２ｃに対して略垂直となるように反射させることができる。一方、入射面２ａから入射した光のうち、第２の光源４以外からの光、例えば、第１の光源３からの光あるいは迷光は、仮に第２のプリズム２３で反射されたとしても、出射面２ｃに対して比較的大きな角度をなして出射面２ｃから出射するので、その光は、導光板２の正面に位置する観察者からは観察され難い。そのため、第２の光源４が点灯している間に限り、表示装置１は、第２のパターン２４を観察者に見せることができる。
【００３１】
図４（ｃ）は、第１のパターン２２と第２のパターン２４とが重なっている重複領域における、各プリズムの配置を示す、その重複領域の拡大平面図である。
本実施形態では、第１のパターン２２を形成する第１のプリズム２１と第２のパターン２４を形成する第２のプリズム２３とは、何れも千鳥足状に配置されているので、第１のパターン２２と第２のパターン２４とが重なっている領域では、第１のプリズム２１と第２のプリズム２３とが交互に配置される。そのため、第１のパターン２２と第２のパターン２４とが重なっている領域でも、第１の光源３が点灯することで第１のプリズム２１が第１の光源３からの光を出射面２ｃ側へ導き、一方、第２の光源４が点灯することで第２のプリズム２３が第２の光源４からの光を出射面２ｃ側へ導くので、点灯する光源に対応するパターンが表示される。また、上記のように第１のプリズム２１と第２のプリズム２３とが配列されることで、第１のパターン２２、第２のパターン２４を任意の形状とすることが容易となるとともに、各パターンとその他の領域との境界が直線上に形成される場合のその境界の見栄えをよくすることができる。
【００３２】
なお、第１のプリズム２１及び第２のプリズム２３は、それぞれ、格子状に配列されてもよい。また、第１のパターン２２と第２のパターン２４とが重なる領域では、第１のプリズム２１が配置されるy方向のラインと第２のプリズム２３が配置されるy方向のラインとが交互になるように各プリズムが配置されてもよい。
【００３３】
以上に説明してきたように、この表示装置では、導光板に表示される第１のパターンを形成する複数の第１のプリズムが、その反射面が第１のパターンに対応する光源に正対するように配置され、導光板に表示される第２のパターンを形成する複数の第２のプリズムが、その反射面が第２のパターンに対応する光源に正対するように配置される。これにより、この表示装置は、複数の光源が導光板の一つの辺に対向するようにしか配置できない場合でも、点灯している光源に対応するパターンを形成するプリズムがその光源からの光を導光板から出射させるので、点灯する光源を切り替えることで、表示するパターンの切替を行うことができる。
【００３４】
なお、変形例によれば、パターンの輝度ムラを軽減するように、個々のパターンを形成する複数のプリズムは、光源から遠くなるほど配置密度が高くなるように配置されてもよい。
【００３５】
図５（ａ）は、この変形例による各プリズムの配置パターンの一例を示す図である。この変形例では、第１のパターン２２を形成する複数の第１のプリズム２１は、第１の光源３からの距離が遠くなるほどそのプリズムの配置密度が高くなり、かつ、等間隔で設定されるy方向に沿ったライン上に位置するように配置される。同様に、第２のパターン２４を形成する複数の第２のプリズム２３も、第２の光源４からの距離が遠くなるほどそのプリズムの配置密度が高くなり、かつ、等間隔で設定されるy方向に沿ったライン上に位置するように配置される。このように各プリズムが配置されることで、各光源からの距離が遠くなるほど、その光源からの光を導光板２の出射面２ｃへ向けて反射するプリズムの数が増えるので、表示装置は、パターンの輝度ムラを軽減できる。なお、第１の光源３からの距離と第１のプリズム２１の配置密度の関係を表す関数が、第１の光源３からの距離と第１の光源３による照度の関数の逆関数となるように、第１のプリズム２１の配置密度は決定されてもよい。同様に、第２の光源４からの距離と第２のプリズム２３の配置密度の関係を表す関数が、第２の光源４からの距離と第２の光源４による照度の関数の逆関数となるように、第２のプリズム２３の配置密度は決定されてもよい。
【００３６】
なお、第１のパターン２２と第２のパターン２４とが重なる領域では、例えば、第１のプリズム２１が配置されるy方向のラインと第２のプリズム２３が配置されるy方向のラインとが交互になるように各プリズムが配置される。ただし、全体として各プリズムの配置が千鳥足状になるように、隣接する第１のプリズム２１と第２のプリズム２３のそれぞれのy方向の位置が互いに異なっていていもよい。このように各プリズムを配置することで、隣接するプリズム間の間隔に余裕ができるので、第１のプリズム２１が配置されるラインと第２のプリズム２３が配置されるライン間の距離を短縮して、プリズムの配置密度を高くできる。
【００３７】
図５（ｂ）は、各プリズムの配置パターンの他の一例を示す図である。この変形例でも、図５（ａ）に示される変形例と同様に、第１のパターン２２を形成する第１のプリズム２１は、第１の光源３からの距離が遠くなるほど第１のプリズム２１の配置密度が高くなり、かつ、等間隔で設定されるy方向に沿ったライン上に位置するように配置される。また、第２のパターン２４を形成する第２のプリズム２３も、第２の光源４からの距離が遠くなるほど第２のプリズム２３の配置密度が高くなり、かつ、等間隔で設定されるy方向に沿ったライン上に位置するように配置される。ただし、第１のパターン２２と第２のパターン２４とが重なる領域では、第１のプリズム２１が配置されるy方向のラインと第２のプリズム２３が配置されるy方向のラインとが交互になり、かつ、隣接する第１のプリズム２１と第２のプリズム２３のそれぞれのy方向の位置が同一となる。
【００３８】
なお、第１のプリズム２１が配置される複数のy方向のライン間でも、第１の光源３から遠いラインほど、そのライン上に配置される第１のプリズム２１の配置密度が高くなるように、第１のプリズム２１が配置されてもよい。同様に、第２のプリズム２３が配置される複数のy方向のライン間でも、第２の光源４から遠いラインほど、そのライン上に配置される第２のプリズム２３の配置密度が高くなるように、第２のプリズム２３が配置されてもよい。
【００３９】
また他の変形例によれば、第１のプリズム２１は、第２の光源４側に位置する端部に近づくほど、反射面２１ａと直交する方向の長さ（以下、便宜上プリズムの幅と呼ぶ）が細くなるように形成されてもよい。同様に、第２のプリズム２３は、第１の光源３側に位置する端部に近づくほど、プリズムの幅が細くなるように形成されてもよい。
【００４０】
図６（ａ）及び図６（ｂ）は、この変形例によるプリズムの形状の一例を示す図である。なお、第１のプリズム２１も第２のプリズム２３も同じ形状とすることができるので、図６（ａ）及び図６（ｂ）では、第１のプリズム２１を例として説明する。
図６（ａ）では、導光板２の正面から、すなわち、導光板２の出射面２ｃ側から見た第１のプリズム２１の形状が示されており、第１のプリズム２１は、楕円をその長径に沿って半分にした形状を有する。また図６（ｂ）では、第１の光源３側から見た第１のプリズム２１の形状が示されており、第１のプリズム２１は、楕円をその長径に沿って半分にした形状を有する。
【００４１】
図７（ａ）及び図７（ｂ）は、この変形例によるプリズムの形状の他の一例を示す図である。なお、第１のプリズム２１も第２のプリズム２３も同じ形状とすることができるので、図７（ａ）及び図７（ｂ）でも、第１のプリズム２１を例として説明する。図７（ａ）導光板２の出射面２ｃ側から見た第１のプリズム２１の形状が示されており、第１のプリズム２１は、その反射面２１ａが底辺となる台形形状を有する。また図７（ｂ）では、第１の光源３側から見た第１のプリズム２１の形状が示されており、第１のプリズム２１は、拡散面２ｂ側の辺が底辺となる台形形状を有する。
【００４２】
図６または図７に示される例では、第１のプリズム２１と対応しない、第２の光源４から見える第１のプリズム２１の表面積が小さくなる。そのため、第２の光源４から発して、第１のプリズム２１で反射されて観察者に達する光の光量がより抑制される。なお、第２の光源４から遠い方の端部における第１のプリズム２１の幅については、反射面２１ａの中心における第１のプリズム２１の幅と等しいか、または広くてもよい。これは、第２の光源４から遠い方の端部は、第１のプリズム２１自体により、第２の光源４から遮蔽されるためである。同様に、第１の光源３から遠い方の端部における第２のプリズム２３の幅については、反射面２３ａの中心における第２のプリズム２３の幅と等しいか、または広くてもよい。
【００４３】
さらに他の変形例によれば、第１の光源３は、二つの発光素子を有してもよい。この場合、二つの発光素子は、導光板２の入射面２ａの長手方向に沿って所定の間隔だけ空けて配置される。所定の間隔は、例えば、第１の光源３から第１のパターン２２の重心までの距離l1と導光板２から想定される観察者間の距離l2との比(l1/l2)を、平均的な人の両眼の間隔に乗じた値としてもよい。これにより、第１の光源３の一方の発光素子からの光が観察者の一方の眼に届き、第１の光源３の他方の発光素子からの光が観察者の他方の眼に達し易くなる。そのため、観察者は、両眼で第１のパターン２２を観察し易くなる。同様に、第２の光源４も、導光板２の入射面２ａの長手方向に沿って所定の間隔だけ空けて配置される二つの発光素子を有してもよい。
【００４４】
図８は、この変形例による、導光板の平面図である。なお、図８では、簡単化のために、第２のプリズム２３及び第２のパターン２４の図示は省略されている。また、複数の第１のプリズム２１のうち、二つのみが示されている。この場合、第１のプリズム２１の反射面２１ａが、第１の光源３が有する二つの発光素子３１、３２の間に対して正対するように第１のプリズム２１は配置されてもよい。これにより、観察者が導光板２の正面から導光板２を見たときに、第１の光源３の各光源から発して観察者の左眼に達する光の光量と右眼に達する光の光量とが略等しくなるので、観察者は第１のパターン２２を両眼でより観察し易くなる。同様に、第２のプリズム２３の反射面２３ａが、第２の光源４が有する二つの発光素子間の中点に対して正対するように第２のプリズム２３は配置されてもよい。
【００４５】
さらに他の変形例によれば、第１の光源３は、導光板２の入射面２ａの長手方向に沿って所定の間隔だけ空けて配置される複数の発光素子を有し、第１のパターン２２を形成する第１のプリズム２１のそれぞれは、その反射面２１ａが複数の発光素子のうちの何れかへ向くように配置されてもよい。その際、プリズムごとに、反射面２１ａが何れの発光素子へ向けられるかは、ランダムに決定されてもよい。これにより、第１の光源３が一つの発光素子を有する場合よりも、第１のパターン２２を表す光の放射方向が広くなるので、観察者は、より広い範囲から第１のパターン２２を観察できる。同様に、第２の光源４は、導光板２の入射面２ａの長手方向に沿って所定の間隔だけ空けて配置される複数の発光素子を有し、第２のパターン２４を形成する第２のプリズム２３のそれぞれは、その反射面２３ａが複数の発光素子のうちの何れかへ向くように配置されてもよい。
【００４６】
図９は、さらに他の変形例による、導光板の平面図である。なお、図９では、簡単化のために、第２のプリズム２３及び第２のパターン２４の図示は省略されている。また、複数の第１のプリズム２１のうち、二つのみが示されている。この変形例によれば、第１の光源３は、導光板２の入射面２ａの長手方向に沿って所定の間隔だけ空けて配置される複数の発光素子を有し、第１のパターン２２を形成する第１のプリズム２１のそれぞれは、その反射面２１ａが、各発光素子のうち、その第１のプリズム２１の位置における照度が最大となる発光素子と正対するように配置される。例えば、図９では、第１の光源３が二つの発光素子３１、３２を有する。そして発光素子３１の発光強度の指向性分布はプロファイル９０１で示され、発光素子３２の発光強度の指向性分布はプロファイル９０２で示される。プロファイル９０１、９０２で示されるように、プリズム２１−１の位置では、発光素子３１からの光による照度の方が、発光素子３２からの光による照度よりも高い。そこでプリズム２１−１は発光素子３１と正対するように配置される。一方、プリズム２１−２の位置では、発光素子３２からの光による照度の方が、発光素子３１からの光による照度よりも高い。そこでプリズム２１−２は、発光素子３２と正対するように配置されている。これにより、第１のプリズム２１のそれぞれは、複数の発光素子のうちのその第１のプリズム２１の位置において最も明るい発光素子からの光を観察者へ向けて反射するので、表示装置１は、第１のパターン２２をより明るくできる。同様に、第２の光源４は、導光板２の入射面２ａの長手方向に沿って所定の間隔だけ空けて配置される複数の発光素子を有し、第２のパターン２４を形成する第２のプリズム２３のそれぞれは、その反射面２３ａが、各発光素子のうち、その第２のプリズム２３の位置における照度が最大となる発光素子と正対するように配置されてもよい。
【００４７】
さらに他の変形例によれば、入射面２ａと対向するように一列に並べて配置される光源の数は３個以上であってもよい。この場合も、導光板２の拡散面２ｂには、光源ごとに、その光源に対して正対する反射面を持ち、所定のパターンに沿って配列される複数のプリズムが形成されればよい。これにより、導光板２及びその導光板２を有する表示装置は、点灯させる光源を切り替えることにより、点灯している光源に対応するパターンを表示することができる。
【００４８】
さらに他の変形例によれば、パターンごとに、そのパターンを形成するプリズムの配置密度、あるいはプリズムのサイズが異なっていてもよい。これにより、導光板２及びその導光板２を有する表示装置は、表示するパターンに応じて、パターンの明るさを異ならせることができる。
【００４９】
上記の実施形態または変形例による表示装置は、弾球遊技機または回胴遊技機といった遊技機に搭載されてもよい。
図１０は、上記の実施形態または変形例による表示装置を有する弾球遊技機を遊技者側から見た、その弾球遊技機の概略斜視図である。図１０に示すように、弾球遊技機１００は、上部から中央部の大部分の領域に設けられ、遊技機本体である遊技盤１０１と、遊技盤１０１の下方に配設された球受け部１０２と、ハンドルを備えた操作部１０３と、遊技盤１０１の略中央に設けられた液晶ディスプレイ１０４と、液晶ディスプレイ１０４の前面に配置された、表示装置１０５とを有する。
【００５０】
また弾球遊技機１００は、遊技の演出のために、遊技盤１０１の前面において遊技盤１０１の下方または表示装置１０５の周囲に配置された役物１０６を有する。また遊技盤１０１の側方にはレール１０７が配設されている。また遊技盤１０１上には多数の障害釘（図示せず）及び少なくとも一つの入賞装置１０８が設けられている。
【００５１】
操作部１０３は、遊技者の操作によるハンドルの回動量に応じて図示しない発射装置より所定の力で遊技球を発射する。発射された遊技球は、レール１０７に沿って上方へ移動し、多数の障害釘の間を落下する。そして遊技球が何れかの入賞装置１０８に入ったことを、図示しないセンサにより検知すると、遊技盤１０１の背面に設けられた主制御回路（図示せず）は、遊技球が入った入賞装置１０８に応じた所定個の遊技球を玉払い出し装置（図示せず）を介して球受け部１０２へ払い出す。さらに主制御回路は、遊技盤１０１の背面に設けられた演出用CPU（図示せず）を介して液晶ディスプレイ１０４及び表示装置１０５を駆動する。
【００５２】
表示装置１０５は、上記の実施形態または変形例による表示装置の一例であり、導光板の出射面が遊技者へ向くように遊技盤１０１に取り付けられる。さらに、この例では、表示装置１０５の周囲にある役物１０６の形状などの関係上、光源の配置可能な位置が表示装置１０５の上側の一辺に限られるので、表示装置１０５の各光源は表示装置１０５の上側に位置するように、表示装置１０５は取り付けられる。そして表示装置１０５の制御部は、遊技の状態に応じた、演出用CPUからの制御信号に応じて、第１の光源及び第２の光源の何れかを点灯させて、遊技者が、液晶ディスプレイ１０４に表示された映像とともに、第１の光源に対応する第１のパターンまたは第２の光源に対応する第２のパターンを視認できるようにする。あるいは、制御部は、第１の光源及び第２の光源の両方を消灯して、遊技者が、導光板を介して液晶ディスプレイ１０４に表示された映像のみを観察できるようにしてもよい。
【００５３】
このように、当業者は、本発明の範囲内で、実施される形態に合わせて様々な変更を行うことができる。
【符号の説明】
【００５４】
１    表示装置
２    導光板
２ａ    入射面
２ｂ    拡散面
２ｃ    出射面
３    第１の光源
３１、３２    発光素子
４    第２の光源
２１    第１のプリズム
２１ａ    反射面
２２    第１のパターン
２３    第２のプリズム
２３ａ    反射面
２４    第２のパターン
５    制御部
１００    弾球遊技機
１０１    遊技盤
１０２    球受け部
１０３    操作部
１０４    液晶ディスプレイ
１０５    表示装置
１０６    役物
１０７    レール
１０８    入賞装置
【図１】
0006540020.tif 000002
【図２】
0006540020.tif 000003
【図３】
0006540020.tif 000004
【図４】
0006540020.tif 000005
【図５】
0006540020.tif 000006
【図６】
0006540020.tif 000007
【図７】
0006540020.tif 000008
【図８】
0006540020.tif 000009
【図９】
0006540020.tif 000010
【図１０】
0006540020.tif 000011